(57)【要約】      （修正有）【課題】落葉や自然芝生のアンツーカの土砂の回収や不要物等を効率的に吸引してゴミ集塵場所等に移送する吸引移送具を提供する。【解決手段】吸引移送具１００はブロワ１１に連結される導入箱１とこれに連結されてブロワから空気を充填する充填室を有する空気充填箱２とこの空気充填箱２に挿入される排出箱３等からなり、充填室に導入された空気は導入箱１の下方の開口部５に設けられている傾斜板８とこの傾斜板８と排出箱３の下端との間に形成されている隙間から勢いよく排出される。この排出空気によりベルヌーイの定理に基づく吸引力が発生し地面上の落葉等が吸引される。吸引された落葉等は移送手段側に送られ回収移送される。【選択図】図１
0003214191.tif 000002
【実用新案登録請求の範囲】
【請求項１】
ブロワからの空気が導入される導入箱と、該導入箱に連結し導入された空気を充填する充填室を形成し下方側に開口部を有する空気充填箱と、該空気充填箱内に上下方向から挿入され上方側及び下方側に開口部を形成する排出箱とから構成され、前記導入箱と前記空気充填箱との間には導入された空気を左右の前記充填室に導入する振り分け板が介設され、前記空気充填箱の下方の前記開口部の左右端には上方に向かって角度４５°〜４６°に傾斜する傾斜板が形成され、前記排出箱の下端と前記傾斜板との間には５ｍｍ〜６ｍｍの隙間が形成されることを特徴とする吸引移送具。
【請求項２】
前記排出箱の上方の前記開口部には吸引された吸引物を移送手段側に導入するフードが連結されることを特徴とする請求項１に記載の吸引移送具。
【考案の詳細な説明】
【技術分野】
【０００１】  本考案は、落葉や野球場，サッカー場，公園等の自然芝生のアンツーカの土砂の回収や不要物を吸引して移送手段側に移送し効率的，衛生的な清掃や集塵が出来る簡便構造の吸引移送具に関する。
【背景技術】
【０００２】  落葉や野球場，サッカー場，公園等の自然芝生のアンツーカの土砂の回収や不要物の処理としては各種の集塵機的のものが使用されている。これ等の内、同一出願人による「特許文献１」は効率的のものとして提案されている。しかしながら「特許文献１」やその他の集塵機は落葉等を効率的，衛生的に吸入除去すると共に吸引物を移送手段側に移送する構造のものではなかった。
【先行技術文献】
【特許文献】
【０００３】
【特許文献１】実願２００６−００４７９９号（図１）
【考案の概要】
【考案が解決しようとする課題】
【０００４】  前記の「特許文献１」の「実願２００６−００４７９９号」のトルネード式小片吸引移送装置は落葉等を吸引する部分に竜巻的の空気流れを形成して落葉等の小片や不要物を吸引し移送手段的に移送する構造のものから形成されているが、本考案のようにベルヌーイの定理に基づく理論構成から形成されているものではなく、効率的，衛生的の面においても不十分のものである。また、その他の従来の集塵機的のものも本考案に較べて効率的にも不十分のものである。【０００５】  本考案は構造的にコンパクトにまとめられ、ベルヌーイの定理に基づく吸引を実施し、効率的で衛生的である吸引移送具を提供する事を目的とするものである。
【課題を解決するための手段】
【０００６】  本考案は、以上の目的を達成するために考案されたものであり、請求項１の考案は、ブロワからの空気が導入される導入箱と、該導入箱に連結し導入された空気を充填する充填室を形成し下方側に開口部を有する空気充填箱と、該空気充填箱内に上下方向から挿入され上方側及び下方側に開口部を形成する排出箱とから構成され、前記導入箱と前記空気充填箱との間には導入された空気を左右の前記充填室に導入する振り分け板が介設され、前記空気充填箱の下方の前記開口部の左右端には上方に向かって角度４５°〜４６°に傾斜する傾斜板が形成され、前記排出箱の下端と前記傾斜板との間には５ｍｍ〜６ｍｍの隙間が形成されることを特徴とする。【０００７】  また、請求項２の考案は、前記排出箱の上方の前記開口部には吸引された吸引物を移送手段側に導入するフードが連結されることを特徴とする。
【考案の効果】
【０００８】  本考案の請求項１の吸引移送具によれば、ブロワからの空気が充填室に充填された状態で下方の傾斜板と排出箱の下端との間の隙間から勢いよく噴出し、これによりベルヌーイの定理に基づく吸引力が落葉等に作用し、これ等を効率的に確実に、かつ洩れのない衛生的な効果を上げるべく吸引して排出することが出来る。勿論落葉等に限定するものではなく、芝生に目詰りしているアンツーカの土砂を回収して芝の育成に役立つ効果を上げることが出来、その他の不要物や小片を効率的に吸引することが出来る効果を上げることが出来る。【０００９】  また、請求項２の吸引移送具によれば、排出箱の上方にフードを連結することにより吸引物を任意の移送手段側に送ることが出来、吸引物の処理が確実に効率的に、かつ衛生的に行うことが出来る。
【図面の簡単な説明】
【００１０】
【図１】  本考案の吸引移送具の吸引具の部分の全体構造を示す斜視図。
【図２】  図１におけるＡ−Ａ線断面図。
【図３】  図１におけるＢ−Ｂ線断面図
【図４】  移送手段へ移送するためのフードや移送手段の一例を示す模式的構成図。
【考案を実施するための形態】
【００１１】  以下、本考案の吸引移送具の実施の形態を図面を参照して詳述する。
【実施例１】
【００１２】  図１に示すように本考案の吸引移送具１００は導入箱１とこれに連結される空気充填箱２とこの空気充填箱２の中央に上下方向に挿入される排出箱３等とから構成される。空気充填箱２は排出箱３の挿入により左右に充填室４，４が形成される。また、導入箱１にはブロワ１１が連結されブロワ１１からの空気は導入箱１内に挿入される。
空気充填箱２はその上部は閉止されている下部には開口部５が形成される。また、排出箱３は空気充填箱２と長手方向は同一長さからなりその上方側及び下方側には開口部６，６が形成される。【００１３】  図２に示すように排出箱３の導入箱１側には山型の振り分け板７が設けられ、この振り分け板７の存在により、導入箱１内の空気は左右の充填室４，４に円滑に導入され空気は充填室４，４に充填される。【００１４】  空気充填箱２の下部の開口部５の左右端には上方に向かって傾斜する傾斜板８が形成される。なお、図３に示すように傾斜板８は充填室４，４に入った空気が傾斜板８の傾斜にそって円滑に、かつ急速に流れるように弧状部９が形成されている。なお、弧状部９は限定的のものでこれがなくてもよい。また、傾斜板８の傾斜角度は４５°〜４６°に形成される。この値は実験的にベストの条件で決められたものであり、この値に必ずしも限定するものではない。【００１５】  排出箱３の下端は図３に示すように傾斜板８の近傍に配置され傾斜板８との間には５ｍｍ〜６ｍｍの隙間１０が形成される。なお、この値も実験的にベストの条件で決められたものであり、この値に必ずしも限定するものではない。【００１６】  次に本考案の吸引移送具１００の作用を説明する。
まず、ブロワ１１からの空気は導入箱１に導入される。導入された空気は排出箱３の入口を閉止し左右に傾斜面を形成している振り分け板７により左右に振り分けられ空気充填箱２の充填室４，４内に導入されて充填される。
充填室４に充填された空気は下方に送られ空気充填箱２の下方の開口部５に設けられている弧状部９を介して傾斜板８の上面に円滑に送られる。この傾斜板８は上方に向かって４５°〜４６°傾斜していると共に排出箱３の開口部６に設けられている下端と傾斜板８との間には隙間１０（５ｍｍ〜６ｍｍ）が設けられ傾斜板８の上面に充填室４から送られた空気はこの隙間１０から勢いよく上方に噴出される。この噴出された空気によりベルヌーイの定理の作用が働き傾斜板８の下方には大きな負圧力が発生する。この負圧力により例えば、地面１２上に堆積している落葉等１３は吸引され排出箱３の上方の開口部６から排出される事になる。なお、吸引される物は落葉等１３に限定するものではなく芝生のアンツーカの土砂や不要物等からなり、これ等は効率的に確実に吸引されて開口部６から排出される。
【実施例２】
【００１７】  排出箱３から排出される落葉等１３の回収のための移送手段２００の一例を図４により説明する。なお、この回収のための移送手段２００については図４のものに限定するものではない。
図４に示すように排出箱３の上方の開口部６にはフード１４が連結される。このフード１４は図示のように移動可能な移動車１５に設けられている集塵用容器１６に挿入され吸引した落葉等１３をこの集塵用容器１６内に排出させる。よって、移送手段２００の移動により本考案の吸引移送具１００により吸引された落葉等１３等はゴミ処理場等に移送されて処理されることになる。【００１８】  本考案の吸引移送具１００については以上の内容のものからなるがその内容は以上の説明に限定するものではなく同一技術的範疇のものが適用されることは勿論である。
【産業上の利用可能性】
【００１９】  本考案の吸引移送具１００は落葉等や芝生，土砂や不要品の吸引とその移送回収に適用され、効率的で衛生的で取り扱い性もよく、その利用範囲は極めて広い。
【符号の説明】
【００２０】  １      導入箱
２      空気充填箱
３      排出箱
４      充填室
５      開口部
６      開口部
７      振り分け板
８      傾斜板
９      弧状部
１０    隙間
１１    ブロワ
１２    地面
１３    落葉等
１４    フード
１５    移動車
１６    集塵用容器
１００  吸引移送具
２００  移送手段
【図１】
0003214191.tif 000003
【図２】
0003214191.tif 000004
【図３】
0003214191.tif 000005
【図４】
0003214191.tif 000006